(57)【要約】【課題】乾燥室の左右両壁面に取付けて、たばこ生葉を葉詰めした葉たばこ吊具を乾燥室の奥へスムーズに移動させるための葉たばこ吊具移動用ガイドレールを提供する。【解決手段】葉たばこ吊具の長手方向両端部に設けられたローラー６をガイドするガイド溝１の開口Ｗがローラー６の幅より幅広く略コ字状に成形され、該成形されたガイド溝１の開口Ｗを上方にして片側の溝壁部１ａ上端より更に外側かつ上方へ略Ｌ字状に成形されてなり、溝壁部１ｂはガイド溝１の内側へ斜めに成形され、該斜めに成形された上端が外側へ折畳まれると共に、前記略Ｌ字状に成形された上端が内側へ折畳まれて折畳み縁２，３を成形してなる葉たばこ吊具移動用ガイドレールである。【選択図】図１
0003111337.tif 000002
【実用新案登録請求の範囲】
【請求項１】
ローラーをガイドするガイド溝の開口がローラーの幅より幅広く略コ字状に成形され、該成形されたガイド溝の開口を上方にして片側の溝壁部上端より更に外側かつ上方へ略Ｌ字状に成形されてなることを特徴とする葉たばこ吊具移動用ガイドレール。
【請求項２】
ローラーをガイドするガイド溝の溝壁部が、ガイド溝の内側へ斜めに成形されてなることを特徴とする請求項１記載の葉たばこ吊具移動用ガイドレール。
【請求項３】
略Ｌ字状に成形された側と対向する側のガイド溝の溝壁部が、ガイド溝の内側へ斜めに成形されてなることを特徴とする請求項１又は請求項２記載の葉たばこ吊具移動用ガイドレール。
【請求項４】
ガイド溝の内側へ斜めに成形された溝壁部の、溝底に対する傾斜角が、３０度〜４５度であることを特徴とする請求項３記載の葉たばこ吊具移動用ガイドレール。
【請求項５】
ガイド溝の内側へ斜めに成形された溝壁部上端が外側へ折畳まれ、略Ｌ字状に成形された上端が内側へ折畳まれて折畳み縁が成形されてなることを特徴とする請求項１乃至請求項４のいずれか１項に記載の葉たばこ吊具移動用ガイドレール。
【考案の詳細な説明】
【技術分野】
【０００１】
本考案は、多数のたばこ生葉を葉詰めした葉たばこ吊具（ラック）を乾燥室の奥へスムーズに移動させるための葉たばこ吊具移動用ガイドレールに関する。
【背景技術】
【０００２】
収穫したたばこ生葉の乾燥は、葉たばこ吊具（例えば特許文献１参照）に葉詰めして乾燥室に多段式に吊り込んで行われる。上記葉たばこ吊具は、乾燥室内の左右両壁面に多段式にして設けられたガイドレールに、長手方向両端部に設けられたローラーを係合させて乾燥室の奥へ順次移動させて吊り込むのであるが、乾燥室内の左右両壁間の間隔が正確でなく、且つ取付誤差等により左右のガイドレールの間隔に誤差が生じたりすると、たばこ生葉を多数葉詰めして重量の重くなった葉たばこ吊具（通常３０〜５０ｋｇ）を乾燥室の奥へ移動させて吊り込むことがスムーズに行えない。
【０００３】
従来、一般的に周知されているガイドレールは、ローラーと係合（嵌合）するガイド溝（又はガイド凸起でも良い）の位置が正確に取付けられ、真直で正確な移動を期するものが多い。例えば特許文献２においては、収納庫等の片壁面に水平に取付けられたガイドレールの転動面を、箱体（移動体）の側面にガイドローラー保持金具を介して取付けられたガイドローラーで挟んで収納庫壁面と平行にして且つ水平に箱体を移動させるようにした手段が記載されている。
【特許文献１】特開２０００−９３１４８号公報
【特許文献２】特開平１０−１７１１６号公報
【考案の開示】
【考案が解決しようとする課題】
【０００４】
しかしながら、たばこ生葉を多数葉詰めした葉たばこ吊具の長手方向両端部をガイドしてスムーズに乾燥室の奥へ移動させるには、乾燥室内の左右両壁面の間隔が必ずしも正確に製作されているとは言い難いことから、ローラーとガイドレールを係合（嵌合）させて真直で正確に移動させる従来のガイドレールでは、ガイドレールの位置合わせ調整等に手間を要するほか、使用中にガイドレールが少しでも動いたり、変形したりするとスムーズに行えなくなる問題点があり、このような問題点を解決することが本考案の解決すべき課題とするものである。
【課題を解決するための手段】
【０００５】
本考案は、上記課題を解決するためになされた葉たばこ吊具移動用ガイドレールを提供しようとするものであり、その解決するための手段は、ローラーをガイドするガイド溝の開口がローラーの幅より幅広く略コ字状に成形され、該成形されたガイド溝の開口を上方にして片側の溝壁部上端より更に外側かつ上方へ略Ｌ字状に成形されてなることを特徴とするものである。
【０００６】
又、前記ローラーをガイドするガイド溝の溝壁部が、ガイド溝の内側へ斜めに成形されてなることを特徴とするものであり、略Ｌ字状に成形された側と対向する側のガイド溝の溝壁部が、ガイド溝の内側へ斜めに成形されてなることを特徴とするものである。
【０００７】
又、ガイド溝の内側へ斜めに成形された溝壁部の、溝底に対する傾斜角が３０度〜４５度であることを特徴とするものである。
【０００８】
更に、前記ガイド溝の内側へ斜めに成形された溝壁部上端が外側へ折畳まれ、略Ｌ字状に成形された端部が内側へ折畳まれて折畳み縁が成形されてなることを特徴とするものである。
【考案の効果】
【０００９】
本考案は、上記手段にて記載する如く、ローラーをガイドするガイド溝の開口がローラーの幅より幅広く略コ字状に成形され、該成形されたガイド溝の開口を上方にして片側の溝壁部上端より更に外側かつ上方へ略Ｌ字状に成形されてなることを特徴とする葉たばこ吊具移動用ガイドレールであり、乾燥室内の左右両壁面に取付けられた左右のガイドレール間隔が、葉たばこ吊具の長手方向両端部に設けられたローラーの間隔と正確に位置合わせ調整されていなくても、ガイド溝の開口がローラーの幅より幅広く略コ字状に成形されているから、たばこ生葉を多数葉詰めした葉たばこ吊具を乾燥室の奥へ容易に移動させることができると共に、ガイドレールの取付け位置合わせ調整に手間を要しない。
【００１０】
又、前記ローラーをガイドするガイド溝の溝壁部が、ガイド溝の内側へ斜めに成形されたり、略Ｌ字状に成形された側と対向する側のガイド溝の溝壁部が、ガイド溝の内側へ斜めに成形されることにより、ローラーとガイドレールのガイド溝の良好なガイドが得られ、スムーズな移動を得るのに効果を奏する。
【００１１】
又、ガイド溝の内側へ斜めに成形された溝壁部の、溝底に対する傾斜角が３０度〜４５度であることにより、ローラーとガイドレールのガイド溝の良好なガイドを得ると同時に、ローラーのせり上がりを効果的に抑制し、スムーズな移動を得るのに効果を奏する。
【００１２】
更に、前記ガイド溝の内側へ斜めに成形された溝壁部上端が外側へ折畳まれ、略Ｌ字状に成形された上端が内側へ折畳まれて折畳み縁が成形されることにより、例えば金属薄板等を曲げて折畳んだ場合の折り曲げ縁が滑らかとなってローラーとの当りや手触りが良くなると共に、強度を向上させるのに好ましい効果を奏する。
【考案を実施するための最良の形態】
【００１３】
本考案を実施するための最良の形態は、ローラーをガイドするガイド溝の開口がローラーの幅より幅広く略コ字状に成形され、該成形されたガイド溝の開口を上方にして片側の溝壁部上端より、更に外側かつ上方へ略Ｌ字状に成形されてなり、前記ローラーをガイドするガイド溝は、略Ｌ字状に成形された側と対向する側の溝壁部が、ガイド溝の内側へ斜めに成形され、該斜めに成形された上端が外側へ折畳まれ、前記略Ｌ字状に成形された上端が内側へ折畳まれて折畳み縁を成形された形態である。以下実施例にて図面に基づき説明する。
【実施例１】
【００１４】
図１は、本考案に係る葉たばこ吊具移動用ガイドレールの一実施例を示す斜視図である。図示するようにローラーをガイドするガイド溝１は、外寄りの溝壁部１ａが溝底に対し垂直で、内寄りの溝壁部１ｂがガイド溝１の内側へ斜めに略コ字状に形成され、ガイド溝１の開口を上方にして外寄りの溝壁部１ａの上端より更に外側かつ上方へ略Ｌ字状に成形されているガイド溝１でローラーがガイドされ、外側へ略Ｌ字状に成形された延出外面１ｃが乾燥室壁面等への当接面となる。
【００１５】
前記ガイド溝１の内側へ傾れ込むように斜めに成形された溝壁部１ｂの上端は外側へ折畳まれて折畳み縁２が成形され、前記溝壁部１ａの上端より更に外側かつ上方へ略Ｌ字状に成形された延出部分の上端は内側へ折畳まれて折畳み縁３が成形されている。このように折畳まれて折畳み縁を成形することにより、端部稜角の面取り加工を施す必要がなく滑らかで当りや手触りも良く、且つ強度の向上に好ましい。折畳み縁３の下方部には、乾燥室等の壁面に取付けるための取付穴４，４，…が適宜穿設されている。
【００１６】
前記ガイド溝１は、図２に示す開口Ｗがローラー幅の１．５〜２倍程度にして幅広く成形され、ガイド溝１の内側へ斜めに成形された溝壁部１ｂの溝底に対する傾斜角Ｓは、おおむね３０度〜６０度として、好ましくは３０度〜４５度として、葉たばこ吊具の長手方向両端部に設けられたローラーとの位置合わせが容易で、且つ多少取付誤差があっても葉たばこ吊具がスムーズに移動できるようにしてあるが、ガイド溝１の形状及び寸法はこれに限定されるものではない。
【００１７】
前記葉たばこ吊具移動用ガイドレールの長さＬは、おおむね１８００〜２０００ｍｍであり、たばこ乾燥室の奥行きの長さに応じて切断したり、継ぎ足したりして使用される。
【００１８】
なお、本実施例ではステンレス鋼等の金属薄板を折り曲げて成形するようにしたものであるが、金型による引抜き加工でも成形可能である。この場合、折畳み縁２，３は折畳みせず、折畳み縁を厚くして成形すれば良い。又、金型による引抜き成形の場合、アルミ等の比較的軟質の金属が好ましく、成形後にローラーの接触部を表面硬化処理するなどして、ローラーのころがり移動による摩耗が防止されるような措置を講ずる必要がある。
【００１９】
図３は、上記のようにして成形された葉たばこ吊具移動用ガイドレールのガイド溝１に、葉たばこ吊具５の長手方向両端部に設けられた片方のローラー６を載置して移動させる状態の実施例図であり、別方は本実施例図と対称（図示せず）となる。
【００２０】
図３にて示すように、ガイド溝１の開口はローラー６の幅より幅広く成形されて、ローラー６との間に隙間があり、ガイド溝１とローラー６が正確に位置合わせ調整されていなくても葉たばこ吊具５の移動は容易となる。
【００２１】
例えば、図４に示すように葉たばこ吊具５がずれた状態で移動する場合でも、葉たばこ吊具５の長手方向両端部に設けられたローラー６，６，…の外側面６ａ，６ａ，…がガイド溝１，１の溝壁部１ａ，１ａにガイドされると共に、内側面６ｂ，６ｂ，…はガイド溝１の内側へ斜めに成形された溝壁部の内側端１ｄ，１ｄにガイドされてスムーズにころがり移動する。
【００２２】
又、ローラー６，６，…の外側面６ａ，６ａ，…より外側へ軸端ストッパー６ｃ，６ｃ，…が凸設してあるが、ローラー６，６，…の外側面６ａ，６ａ，…が溝壁部１ａ，１ａにガイドされ、溝壁部１ａ，１ａの上端より更に外側かつ上方へ略Ｌ字状に成形されることにより、該略Ｌ字状に成形された延出内壁１ｅに接触しないようにしてある。
【００２３】
図５は、以上のようにしてなる葉たばこ吊具移動用ガイドレールを乾燥室７の左右両壁面に多段式にして取付け、たばこ生葉を多数葉詰めした葉たばこ吊具５の長手方向両端部に設けられたローラー６，６，…をガイド溝１，１に載置し、ころがり移動させる例を示したものである。
【００２４】
乾燥室７は、室内四隅とその中間部壁面に当て板としてなる枠体８により補強されており、該枠体８の四隅の当て板８ａ，８ａ，…と、その中間部の当て板８ｂ，８ｂとに、支持体９，９，…を介して、葉たばこ吊具移動用ガイドレールが乾燥室７の左右両壁面に多段式にしてネジ１０，１０，…等により取付けられている。
【００２５】
葉たばこ吊具５は、たばこ生葉１１，１１，…を多数葉詰めして乾燥室７に吊り込むようにしたもので重量があり、そのために前記葉たばこ吊具移動用ガイドレールが金属製薄板にして成形した場合、強度的に充分とは言い難く前記支持体９，９，…によりバックアップ支持する手段を講じてあるが、厚板で成形するなどして充分な強度が得られれば、支持体９，９，…は不要で、直接前記当て板８ａ，８ａ，…と８ｂ，８ｂに直接取付けても良い。
【００２６】
そして、たばこ生葉１１，１１，…を多数葉詰めした葉たばこ吊具５を、乾燥室７の奥（矢印方向）へ順次移動させて多段式に吊り込み、乾燥室内を満たした状態にして乾燥させる。
【産業上の利用可能性】
【００２７】
本考案は、葉たばこ吊具にたばこ生葉を多数葉詰めして乾燥室に吊り込むための葉たばこ吊具移動用としてのみならず、例えば収納庫や倉庫等の壁部に取付けて種々の物品を吊設した吊具を吊り込んで収納保管するのにも利用の可能性がある。
【図面の簡単な説明】
【００２８】
【図１】本考案の一実施例を示す斜視図である。
【図２】図１の断面形状である。
【図３】ローラー（葉たばこ吊具の片方のローラー）をガイド溝に載置した状態の断面図である。
【図４】葉たばこ吊具がずれた状態で移動する場合の平面図である。
【図５】たばこ生葉を多数葉詰めした葉たばこ吊具を乾燥室に吊り込む例を示す乾燥室内斜視図である。
【符号の説明】
【００２９】
１  ガイド溝
１ａ，１ｂ  溝壁部
１ｃ  延出外面
１ｄ  内側端
１ｅ  延出内壁
２，３  折畳み縁
４  取付穴
５  葉たばこ吊具
６  ローラー
６ａ  外側面
６ｂ  内側面
６ｃ  軸端ストッパー
７  乾燥室
８  枠体
８ａ，８ｂ  当て板
９  支持体
１０  ネジ
１１  たばこ生葉
Ｗ  開口
Ｓ  溝底に対する傾斜角
Ｌ  葉たばこ吊具移動用ガイドレールの長さ
【図１】
0003111337.tif 000003
【図２】
0003111337.tif 000004
【図３】
0003111337.tif 000005
【図４】
0003111337.tif 000006
【図５】
0003111337.tif 000007